(57)【要約】  マスカラなどの化粧品を睫毛に塗布するための装置が、ハンドル（１２）と、ステム（１６）と、アプリケータヘッド（２０）とを備えており、そのアプリケータヘッド（２０）は、ステム（１６）に連結されており、また、ステム軸線に実質的に平行な方向にハンドル（１２）に対して動作するように支持されている。アクチュエータは、前進行程と後進行程とを含む軸方向運動でアプリケータヘッド（２０）を動作させる。別の方法として、または追加的に、アクチュエータは、ステム軸線に実質的に平行でかつ前進行程および後進行程を有する軸方向成分と、回転揺動成分とを含む複合的な運動でアプリケータヘッド（２０）を動作させてもよい。アクチュエータは、回転モータシャフト（１９）を有するモータ（１８）であってもよく、また、アプリケータは、モータシャフト（１９）の一方向における回転をアプリケータヘッド（２０）の軸方向に往復する動作に自動的に変換するための、モータシャフト（１９）とアプリケータヘッド（２０）との間に設けられた伝達カップリングをさらに備えてもよい。
2008541942.tif 000002
【特許請求の範囲】
【請求項１】
化粧品を塗布するための装置であって、
ハンドルと、
長手方向のステム軸線を画定するステムであって、前記ハンドルに連結された第１の端部と、第２の端部とを有するステムと、
前記ステムの第２端部に連結されたアプリケータヘッドであって、前記ステム軸線に実質的に平行な方向に前記ハンドルに対して動作するように支持されたアプリケータヘッドと、
前記アプリケータヘッドに作動的に連結されたアクチュエータであって、前進行程速度での前進行程と、後進行程速度での後進行程とを含む少なくとも軸方向運動で前記アプリケータヘッドを動作させるアクチュエータと、を含む装置。
【請求項２】
前記軸方向運動は、０．１ｍｍから１０ｍｍまでの変位距離と、０．５Ｈｚから１０００Ｈｚまでの周波数とを含む請求項１に記載の装置。
【請求項３】
前記前進行程速度の前記後進行程速度に対する比は、１０：１から１：１０までである請求項１または請求項２に記載の装置。
【請求項４】
前記前進行程は前進行程時間内に実行され、前記後進行程は後進行程時間内に実施され、前記軸方向運動は、前記前進行程時間および後進行程時間を含む時間帯の群から選択された少なくとも１つの時間帯の０．０１％から１０００％までの前記前進行程と前記後進行程との間の停止期間をさらに含む請求項１乃至請求項３のうちのいずれか一項に記載の装置。
【請求項５】
前記アクチュエータは、さらに、前記アプリケータヘッドを回転運動と振動運動のうちの少なくとも１つで駆動する請求項１乃至請求項４のうちのいずれか一項に記載の装置。
【請求項６】
前記アクチュエータは、前記ステム軸線に実質的に平行でかつ前進行程および後進行程を有する軸方向成分と、回転揺動成分とを含む複合的な運動で前記アプリケータヘッドを動作させるための前記アプリケータヘッドに作動的に連結される請求項１乃至請求項５のうちのいずれか一項に記載の装置。
【請求項７】
前記アクチュエータは、磁界を生成するように構成された電磁石コイルを含み、前記装置は、前記アプリケータヘッドに連結され、かつ、前記磁界に応答する磁石をさらに備え、電源が、前記軸方向運動と回転運動のうちの少なくとも１つで前記アプリケータヘッドを作動させるために前記電磁石コイルに断続的に接続される請求項１乃至請求項６のうちのいずれか一項に記載の装置。
【請求項８】
前記アクチュエータは、回転モータシャフトを有するモータを含み、前記装置は、該モータシャフトの回転を、前記アプリケータヘッドの前記軸方向運動と前記軸方向運動のうちの少なくとも１つに自動的に変換するための伝達カップリングをさらに備える請求項１乃至請求項６のうちのいずれか一項に記載の装置。
【請求項９】
前記ステムは螺旋溝を備え、前記ハウジングは、該溝と摺動係合するように構成された突出部を備え、前記ステムの軸方向動作によって、前記ステムを回転させるように該溝が前記突出部に沿って押し付けられる請求項１乃至請求項８のうちのいずれか一項に記載の装置。
【請求項１０】
前記装置は、前記モータシャフトと前記アプリケータヘッドとの間に設けられ、該前記モータシャフトの一方向における回転を、前記アプリケータヘッドにおける前進行程および後進行程を有する少なくとも軸方向動作に自動的に変換する伝達カップリングを含み、
該伝達カップリングは、前記ステムに連結されたステムディスクと、前記モータシャフトに連結されたモータディスクとを備え、前記モータディスクは、前記ステムディスクと係合する請求項１乃至請求項９のうちのいずれか一項に記載の装置。
【発明の詳細な説明】
【技術分野】
【０００１】
本開示は、一般に化粧用アプリケータに関し、より詳細には、化粧用材料を睫毛などのケラチン繊維に塗布するためのアプリケータに関する。
【背景技術】
【０００２】
各種の化粧用アプリケータが当該技術分野において既知である。例えば、マスカラを睫毛に塗布するためのブラシは一般にステムを含んでおり、そのステムはハンドルに取り付けられた第１の端部を有している。ブラシ剛毛などのアプリケータヘッドは、ステムの第２の端部に連結されている。使用する際、マスカラを付けたブラシヘッドが、睫毛に当てられる。
【０００３】
マスカラには、ケークまたは塊、クリーム、ジェル、半固体、および低粘度の液体を含めて、種々の形式がある。ケークマスカラは元来、固形石鹸に色素を混合した少なくとも５０％の石鹸からなる、最も普及した形態であった。濡れたブラシを使用して、マスカラを泡立て、次いで睫毛に塗布すると、結果として、十分に滑らかな塗布を、ただし薄い化粧品のコーティングと共に個々の睫毛の上にもたらすことができた。主な欠点は、睫毛上の被膜が非常に水溶性が高く、目の周辺の肌に汚れおよび流れを生じがちであるということであった。解決策として、ワックスがマスカラ組成物に混和され、それによってマスカラ組成物の耐水特性が改善されていた。不都合にも、塗布の滑らかさは悪影響を受けた。すなわち、マスカラ調合物の粘度が増加するにつれて、マスカラ調合物は、ますます塗布が困難となり、ますます汚くなり、また睫毛の分離がますます不十分なものとなっていた。
【０００４】
マスカラアプリケータの出現に伴い、マスカラに対する調合の選択肢を広げる手段が生まれた。クリームと、例えば、撚り合わせた金属線のブラシまたは細い棒による塗布とを組み合わせることにより、マスカラ被膜の摩擦抵抗性および柔軟性を改善する被膜形成剤の混和を可能にした、便利な使用法および組成物が提供された。また、このことにより、便利な用具で睫毛を分離し形作る（build）ことが可能となった。現在、無水、油中水型エマルション、水中油型エマルション、および油相をほとんど含有しない水性のマスカラを含めて、いくつかのタイプのマスカラ調合物がある。前述したエマルションはまた、多層エマルション、例えば、限定はしないが水中油中水型エマルションであってもよい。多くのマスカラは水性エマルションであり、乳化ワックスと、通常は色素が水相に分散したポリマーとを含有している。水はカール性および塗布性をもたらし、一方で、ワックスおよびポリマーは、色素で着色した付着耐性のエンドマスカラ被膜（transfer resistant end mascara film）を睫毛上に形成する。無水および油中水型マスカラは一般に、特に水に対する優れた移動抵抗を有するため、耐水性マスカラと呼ばれている。それらは疎水性材料の含有率が高いことから、水で被膜が破られ摩滅される材料をほとんど含有しない被膜が形成される。油中水型マスカラの場合、内部の水滴によって水溶性／水和性の物質を排出することができるが、その物質は排出されなくても油性相内へと混和されることはない。水性マスカラは、典型的には、睫毛への付着および保持をもたらすようにポリマーでゲル化された水である。これらのマスカラは、通常は着色剤を有していないが、着色剤を添加することは可能である。
【０００５】
消費者は、睫毛への粘着性、睫毛の延長性／カール性、汚れまたははがれのないこと、厚い睫毛、ならびに睫毛の塊の良好な分離など、具体的な性質を自身のマスカラ製品に期待する。具体的には、望まれるのは、長く、きらびやかで、豊かで、柔らかく、かつ分離した睫毛である。マスカラは一般に、滑らかでかつ比較的薄い（コーティングの厚さ）被膜を睫毛の上に配置して、素の睫毛よりも色が濃くかつ厚い、適度に分離した睫毛の思い通りの並びを形成し、目をさらに著しく美しくする。よく理解されていることであるが、睫毛は人の目の上下に横列および縦列の双方で並んでいるため、睫毛の凝集は自然に生じるものである。したがって、「分離した」睫毛とは、必ずしも、すべての睫毛を単一の存在として想定しているわけではない。十分に分離しているとユーザーにみなされるマスカラは、十分に分離していないとみなされるマスカラよりも、睫毛の塊を多く残すものである。典型的には、マスカラの付着物は、５ミクロン〜１５ミクロン厚のコーティングを有している。多くの「ボリューム」マスカラは、しかしながら、乱雑でかつ形の整わないものであり、また、あまりに多くの睫毛を厚くかつ分離が不十分な様子で互いに凝集し、それによって睫毛がより少なく見える傾向がある。
【０００６】
従来のマスカラブラシでは、典型的には、ハンドルまたは他の部材を操作することが必要となり、また、睫毛の互いに対する分離を維持または促進しながら、各睫毛をマスカラで完全にかつ均一にコーティングするには、ブラシを睫毛に繰り返し通すことがしばしば必要となる。睫毛全体をコーティングするために、たとえば、ユーザーは、ブラシを垂直方向に移動させて、睫毛全体が覆われるようにしてもよい。加えて、ユーザーは、睫毛に塗布するマスカラの所望量に応じて、ブラシヘッドの様々な部分を睫毛に接触させるために、ブラシを回転させてもよい。さらにまた、ユーザーは、睫毛の分離を促進するためにかつ／または睫毛の良好な被覆範囲を確実にするために、ブラシを水平方向に往復運動させてもよい。したがって、ユーザーは、ブラシを睫毛に当てるための原動力を与えなければならず、また、思い通りに睫毛を被覆するために、必要に応じてブラシを操作する相当な器用さを有していなければならない。加えて、従来のブラシでマスカラを塗布するには、複数回ブラシを通す必要があり、したがって非効率的である。
【０００７】
さらに最近では、回転式のマスカラブラシが提案されているが、その回転式のマスカラブラシでは、ブラシのステムは、ハンドルに対して回転動作するように支持されている。ステムおよび取り付けられたブラシヘッドを回転させるための力は、クレイ（Clay）への米国特許第６，１４５，５１４号およびクレイ（Clay）への米国特許第５，９３７，８７１号に記載されたブラシなどに対しては手動であってもよく、また、ディアズ（Diaz）への米国特許第６，５６５，２７６号に記載されたブラシなどに対しては電気的に駆動されてもよい。これらの回転ステム式ブラシは、ユーザーがマスカラを塗布する間にハンドルを回す必要のないものとなっているが、睫毛を最適にコーティングし分離するものではない。さらに、これらのブラシは、ブラシヘッドの単純な一方向の回転に限定され、したがって、場合によってはより複雑となる特定の塗布技法を実施することはできない。
【発明の開示】
【発明が解決しようとする課題】
【０００８】
加えて、様々な種類の睫毛効果を付与するようになされた様々なタイプのアプリケータが設計されてきた。たとえば、第１のブラシ設計では睫毛の分離を促進することができ、一方で、第２のブラシ設計では睫毛のボリュームまたは被覆面積が増加する。したがって、ユーザーは、２本の別個のブラシを使用しなければならず、また、単一のブラシヘッドに双方の種類のブラシ設計が提供されている場合、ユーザーは、ハンドルを再配置して両側を使用しなければならない。
【課題を解決するための手段】
【０００９】
本開示は、化粧品を塗布するための装置に関する。たとえば、その装置は、ハンドルと、長手方向のステム軸線を画定するステムであって、ハンドルに連結された第１の端部と、第２の端部とを有するステムと、ステムの第２の端部に連結されたアプリケータヘッドであって、ステム軸線に実質的に平行な方向に、ハンドルに対して動作するように支持されたアプリケータヘッドと、を有することができる。前進行程および後進行程を含む軸方向運動でアプリケータヘッドを動作させるために、アクチュエータアプリケータヘッドに作動的に連結されてもよい。
【００１０】
別の実施形態は、化粧品を塗布するための装置であって、ハンドルと、長手方向のステム軸線を画定するステムであって、ハンドルに連結された第１の端部と、第２の端部とを有するステムと、ステムの第２の端部に連結されたアプリケータヘッドであって、ステム軸線に実質的に平行な方向にハンドルに対して動作するように支持されたアプリケータヘッドと、を有する装置に関する。ステム軸線に実質的に平行でかつ前進行程および後進行程を有する軸方向成分と、回転揺動成分とを含む複合的な運動でアプリケータヘッドを動作させるために、アクチュエータがアプリケータヘッドに作動的に連結されてもよい。
【００１１】
さらなる実施形態は、化粧品を塗布するための装置であって、ハンドルと、長手方向のステム軸線を画定するステムであって、ハンドルに連結された第１の端部と、第２の端部とを有するステムと、ステムの第２の端部に連結されたアプリケータヘッドであって、ステム軸線に実質的に平行な方向にハンドルに対して動作するように支持されたアプリケータヘッドと、を備える装置に関する。回転モータシャフトを有するモータが設けられ、モータシャフトの一方向における回転を、前記アプリケーヘッドにおける前進行程および後進行程を有する軸方向動作に自動的に変換するための伝達カップリングが、モータシャフトとアプリケータヘッドとの間に設けられている。
【発明を実施するための最良の形態】
【００１２】
回転するステム上で使用するように適合されたアプリケータヘッドを有する化粧品アプリケータを本明細書に開示する。アプリケータヘッドは、睫毛などのケラチン繊維をその間に通すのに十分に離間された突出部を含んでいる。他の実施形態によれば、アプリケータヘッドの変速回転、揺動回転、ステム軸線に沿った揺動動作、および振動動作などの複合的な動作が可能な、ケラチン繊維の被覆および分離を改善するための化粧品アプリケータを本明細書に開示する。そのアプリケータは、マスカラ（上記の材料の任意の１つ、またはそれらの組み合わせであってもよい）を睫毛に塗布するのに特に好適である。
【００１３】
図１に部分概略図の形式で示すように、アプリケータ１０は、ハウジング１４を画定するハンドル１２を備えている。ステム１６は、従来の手段によって、ハンドル１２に対して回転するように支持されている。モータ１８は、ステム１６の第１の端部に連結されたモータシャフト１９を有している。ステム１６の第２の端部は、アプリケータヘッド２０を画定している。電池２２はモータ１８に作動的に連結されており、スイッチ２４は、電池の電力をモータ１８に選択的に送るように、手動で作動することができる。アプリケータ１０は、電池２２とモータ１８との間で連結された、モータ１８の動作を制御するための制御器２６をさらに備えてもよい。
【００１４】
操作の際、ユーザーはスイッチ２４を作動させて、電池２２からモータ１８にポテンシャルエネルギーを選択的に送ることができる。それに応答して、モータは、モータシャフトと、そのモータシャフトに取り付けられたステム１６とを回転させることができる。結果として、アプリケータヘッドも回転する。図１に示す実施形態は、ポテンシャルエネルギーをモータ１８に供給するための電池を備えているが、ばねまたはゴムバンドなどの弾性部材に蓄えられた機械的なポテンシャルエネルギーなど、他の種類のエネルギー源を使用してもよいことは理解されよう。
【００１５】
アプリケータヘッド２０は、ステムから突出する１つ以上の要素を備えており、その要素は、睫毛などのケラチン繊維を分離しかつそのケラチン繊維に化粧品を塗布するためのものである。アプリケータ要素は、従来の撚り合わせたワイヤブラシとして設けられてもよいが、本発明者らが見出したところによれば、成形した突出部を使用することが好ましい。本明細書で使用するとき、「突出部」とは、アプリケータヘッドの底部表面から概ね離れてまたはその底部表面内に延びる部材である。したがって、「突出部」は、周囲の底部表面とは連続しない局限された範囲をもたらしている。突出部は典型的には、底部表面から離れて外向きに延びているが、それらの突出部はまた、逆にして、内向きに突出して溝を形成するようにしてもよい。
【００１６】
図示した実施形態において、成形された突出部は、細長いフィンガー３０として形成されており、そのフィンガー３０は、ステム１６に連結された底端部と、反対側の自由端部とを有している。図示した実施形態において、各フィンガー３０の横断面領域は、底端部から自由端部へと徐々に狭くなっており、各フィンガーは、ステム１６の軸線３２に対して実質的に垂直に延びるように向いている。フィンガーは、先端部がより大きくなるように底部から広がっていてもよく、また、フィンガーは、まったく先細になっていない代わりに、実質的に一貫した寸法を有していてもよいことが理解されよう。さらに、フィンガーは、ステム軸線３２に対して斜角で延びていてもよい。
【００１７】
フィンガー３０は、ステム１６に沿って隔置されており、また、各フィンガー３０が隣接するケラチン繊維の間を通ることができるように寸法決めされた自由端部を有している。そのように隔置することにより、アプリケータヘッド２０が回転されているときにもフィンガー３０を繊維の間に差し込むことができ、それによって、各フィンガー３０と係合する繊維の表面積が最大となり、隣接する繊維の分離が促進される。突出部は、隣接する突出部の間に睫毛を通すのに十分に離れて、しかも隣接する睫毛を分離するのに十分に接近して隔置されていなければならない。したがって、隣接する突出部の間隙は、約０．２ｍｍから３．０ｍｍとすることができる。
【００１８】
図１に示す突出部のそれぞれは、ステム１６の周辺の局限された範囲から延びているが、ステムと突出部とが係合する他の範囲を使用してもよい。図２に示すように、たとえば、各突出部３０は、実質的に円板の形状をなしてもよく、また、実質的に環の形状を有する底端部を有していてもよい。図示した実施形態において、底端部は好ましくは、１周以下にわたってステム１６の周囲と係合して、突出部３０が回転するときの睫毛のひっかかりを最小にしている。また、１周を超えてステムを横切る他の円板形状を使用してもよい。たとえば、方形の横断面を有する細長いステムを、そのステムの角が局部的な延長部を形成する一方でそのステムの各辺の面が溝または間隙を隣接する角の間に形成するように、ねじることができる。突出部は、ステムの形状に概ね整合する、不規則なまたは不均一なアプリケータヘッドの輪郭を画定するように、ステムの表面に取り付けられている。突出部は、ステムの延長部の長さの１０％から４００％までである長さを有することができる。
【００１９】
円板形状の突出部３０は、図２において単一の成形部材として示しているが、突出部３０は、円板形状のパターンで並べられた剛毛など、複数の部材から形成してもよいことは理解されよう。突出部３０は、ステム軸線３２に実質的に垂直に延びて、突出部の直線状の横列を形成してもよい。あるいは、突出部３０のすべてまたは一部が、ステム軸線３２に対してある斜角で向きをなして、図３に示すような斜めの横列を形成してもよく、また、第１の斜角で向きをなす突出部の第１の組３４と、第１の角度とは異なる第２の斜角で向きをなす突出部の第２の組３６とを有して、図４に示すような反転する斜めの横列を形成してもよい。図５に示すように、各突出部３０は、第１の斜角で延びる第１の突出部部分３８と、第２の斜角で延びる第２の突出部部分４０とを備えてもよく、その結果、第１の突出部部分が第２の突出部部分４０と交差して、交わる斜めの横列が形成される。図６に示すように、第１および第２の突出部部分３８、４０に加えて、各突出部３０は、第３の突出部部分４２を有してもよく、その第３の突出部部分４２は、ステム軸線３２に実質的に垂直に延びて、組み合わせ形の横列を形成している。上記の実施形態のそれぞれにおいて、円周方向の間隙４４が、隣接する突出部３０の間に設けられており、隣接するケラチン繊維の間に突出部を差し込むことが可能となっている。隣接する突出部の間を睫毛が通るための十分な空間を設け、一方で少なくともある程度の睫毛の分離をもたらすために、各間隙は約０．２ｍｍから３．０ｍｍまでであることが好ましい。
【００２０】
突出部３０の横断面形状は、本開示の範囲から逸脱しない範囲で異なっていてもよい。図１に示すように、突出部は、実質的に円形の横断面形状を有するフィンガーとして設けられている。突出部は、図７から２３に概略的に示す形状の任意の１つ、例えば、図７に示すような平坦部を有する円形形状、図８に示すような平坦な形状、星形形状（例えば図９に示すような十字の形式とした、もしくは図１０に示すような三又を有するもの）、図１１に示すようなＵ字形状、図１２に示すようなＨ字形状、図１３に示すようなＴ字形状、図１４に示すようなＶ字形状、中空形状（例えば図１５に示すような円形形状、もしくは図１６に示すような多角形形状で特に正方形）、分枝を示す形状（例えば図１７に示すような雪片形状）、多角形形状（例えば図１８に示すような三角形形状）、図１９に示すような正方形形状、図２０に示すような六角形形状、長円形形状（特に、図２１に示すような特にレンズ形状）、または、図２２に示すような砂時計形状など、円形に加えて様々な種類の横断面形状を有してもよい。また、図２３に示すように互いに対してヒンジ結合される部分を有する突出部を使用することも可能である。
【００２１】
突出部の端部は、様々な形状で形成されてもよく、また様々な構造を備えてもよい。必要に応じて、突出部は、図２４に示すような各端部ボール５０、図２５に示すような各端部フォーク５１、または図２６に示すような先細の先端部を形成するための処理を受けてもよい。突出部はまた、図２７に示すようにフロック加工されてもよく、また、図２８に示すように微小起伏を剛毛の表面に付与するために、または、磁性もしくは他の性質を突出部に与えるために、粒子５２の充填剤を含有するプラスチック材料を押出しすることによって作られてもよい。
【００２２】
突出部は、化粧品材料を突出部の底部から自由端部へと移動させるように特に適合された外面を有してもよい。たとえば、各突出部は、製品を睫毛へとより容易に移動させるために、低い表面エネルギーを有する外部コーティングを備えてもよい。コーティングは、背景技術において上記したマスカラ材料など、化粧品材料と共に使用するのに特に適したものであってもよい。
【００２３】
図１に示す細長い輪郭に加えて、突出部の少なくとも一部は、図２９および３０に示すように、突出する円板５６、ディンプル、またはステム１６の外面から延びる隆起部５８など、幾分かより短いものであってもよい。さらにまた、広範な柔軟性または剛性を有する突出部を使用してもよい。
【００２４】
アプリケータヘッド２０は、異なる形状を有するまたは異なる性質を示す様々な突出部を備えてもよい。たとえば、アプリケータヘッド２０は、第１の横断面形状を有する第１の組の突出部と、第２の横断面形状を有する第２の組の突出部とを備えてもよい。また、第１の組の突出部３０ａは第１の剛性を有してもよく、一方で、第２の組の突出部３０ｂは第２の異なる剛性を有している。図３１Ａ〜３１Ｃに示すように、剛性の異なる突出部を使用することにより、アプリケータヘッドが回転すると、より柔軟な突出部は、より剛性の高い突出部よりも大きな程度で撓むことになる。
【００２５】
ステム１６は、一様な円形の横断面を、または、多角形、例えば図３２に示す三角形断面などの非円形形状を有してもよい。さらなる例として、ステム１６は、図３３に示すような正方形の横断面形状、図３４に示すような五角形形状、図３５に示すような六角形形状、または図３６に示すような楕円形状を有してもよい。ステム１６は少なくとも１つのくぼみ領域６０を有してもよく、そのくぼみ領域６０は、図３７および３８に示すように外向きに凹であってもよいが、そのくぼみは、一定のまたは一定でない横断面を呈している。くぼみ６０は、図３７に示すように円形の横断面形状で、または、図３８に示すように、非円形の横断面形状、例えば三角形断面で形成されてもよい。三角形の場合、くぼみ６０は、図示のように三角形の辺全体をなすが、その場合、アプリケータは凹形の小平面を呈する。ステム１６の形状は、図３９に示すように、平坦な小平面６１を含んでもよい。その輪郭は、図４０に示す３つのへこみなど、少なくとも１つのへこみ６２を代わりに含んでもよい。２つのへこみ６２を有するステム１６の形状が図４１に示されており、１つのへこみ６２を有するステムの形状が図４２に示されている。アプリケータヘッド２０は、一定のまたは一定でない横断面輪郭を画定してもよく、またその中心部は直線的であっても直線的でなくてもよい。ステム１６は、横断面輪郭の外形に対して中心にあっても、図４３に示すように中心から外れていてもよい。
【００２６】
図４４に示すように、ステム１６は円形であり、かつ均一な長さの突出部を有して、円形のアプリケータヘッドの輪郭６４を形成していてもよい。その複数の突出部は、図４４に示されるように、密な間隔、図４９に示されるように、中程度の間隔、または、図５５に示されるように、遠く離れた間隔であってもよい。加えて、各突出部は、図４４に示されるように、比較的より長い長さ、または図５４に示されるように比較的より短い長さを有してもよい。
【００２７】
あるいは、ステム１６の形状ならびに／または突出部の長さおよび間隔は、アプリケータヘッドの非円形の輪郭を画定するように変化してもよい。たとえば、図４５に示すように、突出部の長さは、溝を有する横断面のアプリケータヘッド輪郭６６を画定するように、ステム１６の周囲に短い長さと長い長さが交互に並んでもよい。図４６に示すように、アプリケータの２分の１は、より近く隔置された突出部を有し、一方でアプリケータの他の２分の１は、さらに離れて隔置された突出部を有して、密度の変化する部分を有するアプリケータヘッドを実現してもよい。アプリケータヘッドは、いくつかの異なる長さの突出部を有して、図４７および４８に示すような不規則なアプリケータヘッド輪郭を画定してもよい。他の取りうる実施形態には、図５０に示すように、アプリケータの２分の１はより短い突出部を備え、アプリケータヘッド２０の他の２分の１はより長い突出部を有するというものと、図５１に示すように、アプリケータヘッド２０の４分の１はより長い突出部を有し、アプリケータヘッドの残りの４分の３はより短い突出部を有するというものと、図５２に示すように、長い突出部および短い突出部の部分が対向するというものと、図５３に示すように、アプリケータヘッド２０の２分の１は高密度で隔置された突出部を有し、他の２分の１は単一の突出部を備えるというものと、図５６に示すように、アプリケータの２分の１は高密度で隔置された複数の突出部を備え、他の２分の１は一対の突出部を備えるというものと、が挙げられる。
【００２８】
突出部の円周方向の間隔を変化させることに加えて、アプリケータヘッド２０に沿った突出部の軸線方向の間隔もまた変化させてもよい。図５７Ａ〜５７Ｄは、あるアプリケータヘッド２０の４つの四半部を示し、そのアプリケータヘッド２０は、矢印７０に示す軸線方向に実質的に均一に隔置された突出部３０を有している。突出部のパターンは、ステム軸線３２に実質的に垂直に延びる平面に位置する突出部の、交互に並んだまたは千鳥状となった列を形成するように、均一となっている。図５８Ａ〜５８Ｄは、あるアプリケータヘッド２０の４つの四半部を示し、そのアプリケータヘッド２０は、ステム軸線３２に対して斜角で延びる平面に位置する、均一に隔置された突出部を有している。図５９Ａ〜５９Ｄは、あるアプリケータヘッド２０の４つの四半部を示し、そのアプリケータヘッド２０は、より近く隔置された突出部の範囲と、より離れて隔置された突出部の範囲とを有する反復パターンを形成する、不均一に隔置された突出部を有している。図６０Ａ〜６０Ｄは、あるアプリケータヘッド２０の４つの四半部を示し、そのアプリケータヘッド２０は、ステム軸線３２に実質的に垂直に延びる平面に位置する突出部の整列した横列を形成する、均一に隔置された突出部を有する。図６１Ａ〜６１Ｄは、あるアプリケータヘッドの４つの四半部を示し、そのアプリケータヘッドにおいて、各四半部は突出部の異なるパターンを有している。
【００２９】
アプリケータヘッド２０は、異なる長さを有する突出部のパターンを備えてもよい。図６２Ａ〜６２Ｄに示すように、均一に隔置された突出部を有するアプリケータヘッドの４つの四半部を示す。そのパターンは、より短い突出部７２（より明るい階調で示す）とより長い突出部７４（より暗い階調で示す）とを備えている。より短い突出部は、ステム表面から外向きに突出するように直立していてもよく、また、ステムの中に延びるように逆になっていてもよく、したがって、より長い突出部よりも０％〜４００％まで短くてもよい。より短い突出部７２は、より長い突出部７４の方形領域を通じて延びるＶ字型パターンを形成している。図６３Ａ〜６３Ｄは、あるアプリケータヘッドの４つの四半部を示し、このアプリケータヘッドにおいて、より短い突出部７２は格子パターンを形成し、より長い突出部７４は反復する正方形のパターンを各格子内に形成している。
【００３０】
アプリケータは、アプリケータのうちの異なる性質を有する部分を識別するために、目に見えるしるしを備えてもよい。たとえば、非対称のアプリケータヘッドは、第１の性質を有する突出部を有する第１の範囲と、第２の性質を有する突出部を有する第２の範囲とを備えてもよい。アプリケータヘッドは、第１の範囲を識別するための、色、質感、文章、または他の視覚的に区別可能な特質などの第１の目に見えるしるしと、第２の範囲を識別するための第２の目に見えるしるしとを有してもよい。目に見えるしるしが異なっていれば、異なる範囲が、相対的な柔軟性、長さ、または運動などの異なる性質を有する突出部を有することがユーザーに伝えられる。目に見えるしるしは、第１および第２の範囲における異なる色として設けられてもよい。たとえば、第１の範囲に関連付けられた突出部の先端部、突出部本体の全体、または突出部を備えるアプリケータヘッド表面は、第１の色を有してもよく、一方で、第２の範囲内の同様の構造は第２の色を有する。同様に、第１の範囲は、アプリケータヘッド表面が第１の色を有し、突出部またはその一部が第２の色を有するなどとする第１の配色を有してもよく、一方で、第２の範囲は、アプリケータヘッド表面が第３の色を有し、突出部およびその一部が第４の色を有するなどとする第２の配色を有してもよい。
【００３１】
上記のように、アプリケータヘッド２０を回転させるために、モータ１８がステム１６に連結されている。モータ１８は好ましくは、マスカラをケラチン繊維に塗布するのに適した回転速度でアプリケータヘッドを回転させる。したがって、約０．１ｒａｄ／ｓ（１ｒｐｍ）から２０．９ｒａｄ／ｓ（２００ｒｐｍ）の速度を使用することができるが、ある塗布には、約０．５ｒａｄ／ｓ（５ｒｐｍ）から１０．５ｒａｄ／ｓ（１００ｒｐｍ）の範囲が好ましく、また約１．０５ｒａｄ／ｓ（１０ｒｐｍ）から６．２８ｒａｄ／ｓ（６０ｒｐｍ）の範囲が最も好ましいことが判明している。モータ速度は一定であってもよく、また、適切な範囲内で調整可能であってもよい。
【００３２】
アプリケータヘッドのより高度な動きを生成するために、所望による制御器２６が設けられてもよい。たとえば、制御器２６は、動的な速度信号をモータに供給して、アプリケータヘッドの回転速度を自動的に調整してもよい。動的な信号は、図６４および６５に示すグラフで表されるように、シャフトの回転の程度に従う変動速度など、概ね反復する速度パターンを生成することができる。図６４において、グラフは、シャフトの回転による、緩やかな概ね正弦波形状の速度変動を表す。対称的に、図６５のグラフは、シャフトの回転による、速度の急激な階段状の変化を表す。一定の速度が、図６６に示すグラフに表されている。
【００３３】
左右の目の双方に関連する睫毛での使用を容易にするために、モータは可逆であってもよい。睫毛の底部で始まり自由端部に向かって進むアプリケータ動作を用いてマスカラを塗布することが、しばしば望ましいものとなる。ユーザーはしばしば、目と同じ側と関連付けられる手でアプリケータを持つ（すなわち、右手でマスカラを右目に塗布し、左手でマスカラを左目に塗布する）。アプリケータの向きは、アプリケータが左右の手の間で移転されると変化するため、可逆式モータは、好都合にも、ユーザーが左右の目に対して所望の方向にアプリケータを操作することを可能にする。
【００３４】
可逆式モータを設けてアプリケータヘッドを双方向に回転させる場合、ユーザーがモータを操作する方法を制御して、アプリケータヘッドが、予想されかつ望まれる方向にスピンするようにすると有利である。適切なラベルを付けた単純なトグルスイッチで十分であることもあるが、ユーザーが所望の方向にのみアプリケータを操作できるように制限すると、より望ましいことがある。
【００３５】
図９１に示すように、たとえば、アプリケータ５００は、２つのスイッチ５０２、５０４を、モータ回転の各方向に１つ備えてもよい。アプリケータ５００のハンドル５０６は、各スイッチ５０２、５０４に関連する目を示す単語、絵記号、または他のしるしを備えてもよい。旋回式遮蔽体５０８がハンドル５０６に連結されており、また、２つの窓５１０、５１２を備えているが、その２つの窓５１０、５１２は、関連するスイッチ５０２、５０４に触れることが可能となるように寸法決めされている。窓５１０、５１２は、遮蔽体を適切な方向に回転させると、その窓に関連するスイッチにのみ触れることができるように配置されている。その結果、ユーザーは、スイッチの一方を操作することを阻止される。
【００３６】
図９２に示す別の実施形態において、アプリケータは、２つのスイッチを、ある方式で保持したとき該当するスイッチにのみ容易に触れることができるように配置してもよい。アプリケータ５２０は、２つのスイッチ５２４を有するハンドル５２２を備えている。一方のスイッチ５２４のみが図９２に示されているが、これは、もう一方のスイッチが、ハンドル５２２の、図９２に示す側とは反対の側に位置しているからである。スイッチ５２４は、親指など、ユーザーの手が自然に接触する点に配置されている。たとえば、アクチュエータを右手で把持すると、右目への塗布に適した動作方向でアプリケータ５２０を操作するためのスイッチ５２４のみ、ユーザーとって容易に触れることが可能となる。他方のスイッチは、ユーザーの手のひらで覆うことができ、また、そうでなければ、スイッチに触れて操作するには、ユーザーによって再配置するかまたはさらに操作することが必要となることがある。左手に持ち替えると、他方のスイッチ５２４は、ユーザーが好都合に掛けることができるように配置される。したがって、ユーザーは、おそらく、より触れやすくかつ便利なスイッチを使用することになり、したがって、誤ってまたは予期せずアプリケータを望ましくない方向に操作することが、最小限に抑えられる。
【００３７】
さらにまた、アプリケータは、化粧品を左目または右目のいずれかに塗布するために保持されたときなど、ある位置に向けられたとき、望ましい方向にのみ動作するように適合されてもよい。たとえば、アプリケータは、水銀スイッチによって制御されるモータを有してもよく、その水銀スイッチは、アプリケータの位置とアプリケータがモータとなす接触とに応じてモータの極性を反転させる。アプリケータハンドルは、左目の近くの位置で保持されたときには第１の方向に、右目の近くの位置で保持されたときには第２の反対の方向に水銀スイッチがモータの回転を生じるように、形状をなしていてもよい。
【００３８】
また、モータ１８は、スイッチ２４が作動されるごとに、一定の範囲の回転を実施するように制御されてもよい。たとえば、モータ１８は、アプリケータヘッド２０の異なる側がユーザーに向かって示されるように、所定の回転角度にわたってアプリケータヘッド２０の迅速な回転を実施することができる。回転の所定角度は一般に、約０度から２７０度とすることができるが、約１２０度から２４０度が好ましく、約１８０度が最も好ましい。このことは、アプリケータヘッドが、睫毛の分離を促進するように配置された突出部を有する第１の部分と、ボリュームをもたらすように配置された突出部を有する第２の部分とを有するなど、アプリケータヘッドが、変化する突出部パターンの部分を有する場合、特に有益である。アプリケータヘッド２０の迅速な一定の回転により、ユーザーは、アプリケータを手の中で操作したり再配置したりすることなく、単純にスイッチ２４を作動させることによって、アプリケータヘッドの分離用部分とボリューム用部分との間で切り替えることができる。
【００３９】
特定の実施形態によれば、アプリケータヘッドは、本明細書において自動双方向回転と定義される回転揺動運動で駆動される。したがって、アプリケータヘッド２０は、スイッチ２４を作動させると、前進回転と後進回転との間で交互に切り替わる。前進回転と後進回転の双方は、上述の単一方向の回転と同様に、静的な速度でまたは動的な速度で実施することができる。加えて、前進回転速度および後進回転速度は異なっていてもよい。たとえば、後進回転速度は、アプリケータヘッド２０からケラチン繊維への化粧品の移動を促進するために、比較的低速であってもよく、一方で、前進回転速度は、ケラチン繊維の分離を促進するために、比較的高速であってもよい。図６７は、前進方向と後進方向との間の、ステムの回転角度に対する均一な加速を示すグラフである。このグラフにおいて、最大の前進回転速度と後進回転速度は、実質的に同じである。図６８は、前進回転方向と後進回転方向との間の緩やかな正弦波形状の加速を示すグラフであり、このグラフにおいて、最大前進速度は最大後進速度よりも大きい。
【００４０】
ステムは、同じ期間または異なる期間の間に、前進方向および後進方向に回転させることができる。たとえば、前進回転と後進回転は、それぞれ約１秒間にわたって発生してもよい。あるいは、ステムは、前進方向に約２秒間にわたって、また後進方向に約０．５秒間にわたって回転されてもよい。前進回転の時間が後進回転の時間と比べて長いか、短いか、または等しいかにかかわらず、本開示の範囲から逸脱することなく他の時間帯を使用できることは理解されるため、上記の時間期間は単に例示的なものであり、また理解を明確にするためにのみ示したものである。
【００４１】
アプリケータ１０は、回転軸の周りで同時に回転し並進するアプリケータヘッドの運動を生じてもよい。図６９に示すように、たとえば、ステム軸線３２は、ステム１６が回転するとき円形の経路で並進するように、回転軸７８から偏心していてもよい。あるいは、ステム１６は、図７０に示すように、ステムが回転するときステム表面を睫毛に対して並進させる、楕円形状などの非均一な横断面を有してもよい。
【００４２】
アプリケータ１０を操作するために、様々な種類のアクチュエータを使用してもよい。たとえば、回転運動を発生させるために、ばねまたはゴムバンドなど、ポテンシャルエネルギーを蓄積するための機械的装置をステム１６に連結してもよい。あるいは、ステム１６を回転させるために、モータ１８などの電気的装置を電池２２によって給電してもよい。電池は、図１に示すようにハンドルハウジング１４内に設けてもよく、また、マスカラの関連する容器内に設けてもよい。その容器はアプリケータにキー止めして、特定のマスカラ容器が使用されるときにのみ電池がアプリケータに給電するようにしてもよい。電池は充電式であってもよく、かつ、充電スタンドを設けられていても設けられていなくてもよい。
【００４３】
回転性のアプリケータヘッドの動作を生じることが可能なアプリケータのいくつかの例について、これから説明することにする。１方向または双方向での単純な回転が可能なアプリケータ９０を、図７１に概略的に示す。アプリケータ９０は、ハンドル９２と、ステム９４と、アプリケータヘッド９６とを備えている。モータ９８および電池１００などの電源が、ハンドルの内部に設けられている。給電すると、モータ９８はモータシャフト１０２を単一方向に回転させるが、モータは、モータシャフト１０２を反対方向に選択的に回転させるように、可逆式となっていてもよい。図示した実施形態において、ステム９４は、モータシャフト１０２に直接連結されており、したがって、ステム９４は、モータシャフト１０２の回転と同じ方向に１対１の比で回転する。あるいは、ステム９４をモータシャフト１０２の回転と反対の方向に回転させることができる、ギアなどの１つ以上のカップリングを設けてもよい。そのギアは、ステム９４がモータシャフト１０２よりも高速にまたは低速に回転するように、寸法決めすることができる。スイッチ１０４は、モータに電力を選択的に供給するように、電池１００に作動的に連結されている。操作の際、ユーザーはスイッチ１０４を作動させてモータをオンにし、それによってアプリケータヘッド９６が回転する。
【００４４】
図７２は、アプリケータヘッド１１２を回転揺動運動で駆動することが可能なアプリケータ１１０を示す。アプリケータ１１０は、ハンドル１１４と、アプリケータヘッド１１２を担持するステム１１６とを備えている。電動モータ１１８がハンドル１１４内に設けられており、ステム１１６に直接連結されたモータシャフト１２０を備えている。電池１２２はモータ１１８に作動的に連結されており、制御器１２４は電池１２２に作動的に連結されている。スイッチ１２６が制御器１２４に選択的に連結されており、その制御器１２４は電池１２２を制御して、モータ１１８に選択的に電力を供給する。制御器１２４はタイマーを備えてもよく、また、電池１２２の極性を逆転させ、それによって、モータ１１８がモータシャフト１２０を回転させる方向を逆転できるようになっていてもよい。制御器１２４は、タイマーを使用して電池の極性を特定の時間にまたは所定の期間の後に逆転させ、それによって、事前設定された周波数でステムの回転を自動的に揺動させてもよい。
【００４５】
別のアプリケータ１３０を図７３および７４Ａ〜７４Ｄに示すが、そこにおいて、単一方向でのモータの回転が回転揺動運動へと変換されている。アプリケータ１３０は、ハンドル１３２と、ステム１３４と、アプリケータヘッド１３６とを備えている。モータ１３８および電池１４０は互いに作動的に連結されており、ハンドル１３２内部に設けられている。モータ１３８はモータシャフト１４２を備えており、そのモータシャフト１４２は、伝達カップリング１４４によってステム１３４に機械的に連結されている。より具体的には、伝達カップリング１４４は、回転モータシャフト９２に連結されたモータディスク１４６を備えている。モータディスク１４６はピン１４８を備えており、そのピン１４８は、接合棒１５２に形成されたスロット１５０内に挿入できるように寸法が決められている。接合棒１５２は、従動棒１５４の第１の端部に旋回可能に連結されている。従動棒１５４の第２の端部はステム１３４に固定されており、したがって、従動棒１５４とステム１３４は共に回転する。ばね１５６がハンドル１３２と従動棒１５４との間で延びて、従動棒１５４を第１の方向に付勢している。操作の際、ピン１４８はまず、図７４Ａに示すように、スロット１５０の下端部に隣接して配置することができる。図７４Ｂに示すように、モータディスク１４６が時計回りの方向に回転すると、ピン１４８は、スロット１５０の下端部から上端部へと移動する。ピン１４８が引き続き上方へ回転すると、接合棒１５２および従動棒１５４は、図７４Ｃに示す垂直上向きの方向に引張られ、それによってステム１３４の反時計回りの回転が生じる。図７４Ｄに示すように、モータディスク１４６が、図７４Ｃに示す位置からさらに回転すると、ピン１４８は下向きに移動して、スロット１５０の上端部から下端部へと滑動する。モータディスク１４６がさらに回転すると、接合棒１５２および従動棒１５４は、再び、図７４Ａに示す位置へと下向きに駆動され、それによって、ステム１３４が時計回りの方向に回転される。したがって、伝達カップリング１４４は、モータシャフト１４２の一方向回転をステム１３４の回転揺動に変換する。
【００４６】
アプリケータヘッド１６２を回転動作で駆動することが可能なアプリケータ１６０の別の例示的実施形態を図７５Ａ〜７５Ｃに示す。アプリケータ１６０は、ハンドル１６４と、アプリケータヘッド１６２を装着したステム１６６とを備えている。電気コイルアクチュエータ１６８および電池１７０が、ハンドル１６４に設けられており、互いに作動的に連結されている。コイルアクチュエータ１６８は、駆動シャフト１７２をシャフト１７２の軸線に沿って往復運動させる。駆動シャフト１７２は、従動シャフト１７４の第１の端部に旋回可能に連結されている。従動シャフト１７４の第２の端部は、ステム１６６に固定されており、ステム１６６と共に回転する。操作の際、アクチュエータ１６８は、図７５Ｂおよび７５Ｃにそれぞれ示す拡張位置と後退位置との間で駆動軸１７２を往復運動させる。駆動軸１７２が拡張位置から後退位置に移動すると、従動シャフト１７４および取り付けられたステム１６６は、時計回りの方向に回転される。駆動軸１７２が、後退位置から拡張位置へと逆方向に動作すると、従動シャフト１７４およびステム１６６は、反時計回りの方向に回転される。回転速度、およびステム１６６が前進方向および後進方向に回転される時間帯は、コイルアクチュエータ１６８、電池１７０、および／または制御器（不図示）によって決定することができる。
【００４７】
アプリケータ１８０の別のさらなる例示的実施形態を図７６Ａ〜７６Ｄに示す。アプリケータ１８０は、ハンドル１８２と、アプリケータヘッド１８６を担持するステム１８４とを備えている。図７６Ａに示すように、回転モータシャフト１９０を有するモータ１８８が、ハンドル１８２内に形成された大きめの空洞１９２内に設けられており、下向きの位置に向かってばね１９４によって付勢されている。モータシャフト１９０をステム１８４に作動可能に連結するために、伝達カップリング１９６が設けられている。伝達カップリング１９４は、図７６Ｂに最もよく示されるように、カム表面１９９を画定する長円形形状を有するモータディスク１９８を備えており、また、ハンドル１８２内の固定表面２００と係合して、モータディスク１９８が回転するときのカム作用をもたらしている。モータディスク１９８は、ステム１８４に取り付けられたステムディスク２０２と摩擦によって係合する。操作の際、モータ１８８はモータディスク１９０を回転させ、そのモータディスク１９０は、ステムディスク２０２を回転させる。モータディスク１９８が回転すると、モータ１８８は、モータディスク１９８のカム作用によって固定表面２００に対して上下に駆動される。モータディスク１９８の回転の中心はしたがって、ステムディスク２０２の高さの上下に移動する。モータディスクの回転の中心が、図７６Ｄに示すように、ステムディスク２０２の高さの上にあるとき、ステム１８４は時計回りの方向に回転される。逆に、モータディスクの回転の中心が、図７６Ｃに示すように、ステムディスク２０２の高さの下にあるとき、ステム１８４は反時計回りの方向に回転される。モータディスクの回転の中心が、ステムディスク２０２の高さからさらに離れて移動するにつれて、ステムディスクはより高速で回転されることが理解されよう。したがって、伝達カップリング１９６は、一方向のモータ回転をステムの回転揺動へと変換し、その回転揺動において、回転速度は、前進回転方向と後進回転方向の双方において変動する。
【００４８】
また、睫毛の被覆、分離、または睫毛へのマスカラの塗布に関連する他の働きを支援するために、アプリケータヘッドを軸線方向に並進させることが可能なアプリケータを提供すると有利である。図７７は、ハンドル２１２と、アプリケータヘッド２１６を装着したステム２１４とを有するアプリケータ２１０を示す。上述した機械的または電気的な動力源などの動力源をハンドル２１２内に設け、ステム２１４に連結して、ステム２１４および取り付けられたアプリケータヘッド２１６を、図７７に矢印２２０で示すように、ステム軸線２１８に沿って並進させることができる。別の方法としては、ステム２１４が実質的に静止している間、軸方向動作のために、アプリケータヘッド２１６を動力源に直接連結することができる。この別の方法において、アプリケータが、動作する突出物と比較的静止した突出部との組み合わせを含むように、一部の突出物はステムに取り付け、他の突出物はヘッドに連結してもよい。
【００４９】
アプリケータ２１０によってもたらされる軸方向運動は、アプリケータヘッド２１６の動作の周波数と、アプリケータヘッド２１６が移動する軸方向の距離と、アプリケータヘッドが軸方向動作の前進成分および後進成分の間に動く速度の対称性とを特徴とすることができる。動作の周波数は、アプリケータヘッド２１６が１つの完全なサイクルを通じて前後に動く、１秒当たりの回数（Ｈｚ）として定義される。一般に、約０．５Ｈｚから１０００Ｈｚの周波数が望ましいが、約１Ｈｚから３００Ｈｚの範囲が好ましく、約２Ｈｚから２００Ｈｚの範囲が最も好ましい。アプリケータヘッド２１６が軸方向動作の間に移動する距離は、アプリケータヘッドの完全拡張位置と完全後退位置との間の変位距離として定義される。一般に、約０．１ｍｍから１０ｍｍまでの距離が望ましいが、約０．２５ｍｍから８ｍｍまでの範囲が好ましく、約０．５ｍｍから５ｍｍまでの範囲が最も好ましい。軸方向運動は、典型的には、ステム軸線に実質的に平行な線に沿ったものである。これは、振動運動とは対照的であり、振動運動は、軸方向、半径方向、軌道方向または他の方向のものがあってもよい。また、軸方向運動は、典型的には、下方の範囲限界により近い周波数と、上方の範囲限界に近い変位距離とを有しており、振動運動は、典型的には、より高い周波数とより短い変位距離とを有している。これらの相違にもかかわらず、本明細書に記載される実施形態の多くは、軸方向運動と振動運動の両方を選択的に発生させることができる。
【００５０】
速度の対称性は、前進行程が後進行程に対して要する相対的時間を表す。一般に、前進行程速度の後進行程速度に対する比は、望ましくは約１：１０から１０：１までの範囲内であるが、約１：３から３：１までの範囲が好ましく、約１：２から２：１までの範囲が最も好ましい。
【００５１】
より複雑な軸方向運動を、サイクル中の任意の点で運動を一時停止することによって達成することができる。たとえば、軸方向運動は、前進行程と後進行程の双方の終端において瞬間的に停止してもよい。運動が停止する期間は、特に前進行程または後進行程を完了するのに要する時間と比較すると、ほとんど瞬間的なものから、感知できる遅延までの範囲であってもよい。軸方向運動が停止する時間帯は、前進行程または後進行程の時間の約０．０１％から１０００％までの範囲であってもよい。
【００５２】
回転揺動と軸方向揺動の双方を含んだ複合的な運動を生成することが可能なアプリケータ２３０の例示的実施形態を図７８Ａおよび７８Ｂに示す。アプリケータ２３０は、ハンドル２３２と、アプリケータヘッド２３６を装着したステム２３４とを備えている。コイルアクチュエータ２３８がハンドル２３２内に設けられており、駆動シャフト２４０を備えている。ステム２３４を駆動シャフト２４０に作動可能に接続するために、伝達カップリング２４２が設けられている。具体的には、伝達カップリング２４２は、駆動軸２４０に柔軟なカップリング２４６によって連結されたステム延長部２４４を備えており、そのカップリング２４６は、ステム延長部２４４が駆動シャフト２４０に対して回転することを可能にしている。ステム延長部２４４は螺旋溝２４８を備えており、その螺旋溝２４８は、ハンドル２３２に連結された突出部２５０を受けるように寸法決めされている。動作の際、コイルアクチュエータ２３８が、それぞれ図７８Ａおよび７８Ｂに示す後退位置と拡張位置との間で、駆動シャフト２４０を垂直方向に沿って往復運動させる。駆動シャフト２４０が後退位置から拡張位置へと移動すると、ステム延長部２４４は下向きに駆動される。溝は突出部２５０に沿って押し付けられて、上から見て時計回りの方向にステムを回転させる。駆動シャフト２４０が上向きの方向に移動するとき、ステム延長部２４４およびステム２３４は、ステム２３４が垂直上向きに移動すると、反時計回りの方向に回転される。したがって、伝達カップリング２４２は、ステム２３４の回転揺動と軸方向揺動の双方を同時に生成する。留意されたいこととして、ステムの軸方向運動を生じるいかなる実施形態に対しても、同様の溝および突出部を設けて、ヘッドがハンドルに対して軸方向に駆動されるとヘッドが回転するようにすることができる。
【００５３】
上記の実施形態は、単純なオン／オフスイッチを開示しているが、スイッチは、オンの位置に留まるために、ユーザーからの持続的な圧力を必要としてもよいことは理解されよう。さらに、モータに供給される電圧を変化させ、それによって可変なアプリケータヘッドの運動をもたらすために、スイッチはポテンショメーターとして設けてもよい。
【００５４】
アプリケータヘッド２６２を軸方向に動かすことが可能なアプリケータ２６０の別の例示的実施形態を図７９Ａ〜７９Ｃに示す。アプリケータ２６０は、ハンドル２６４と、アプリケータヘッド２６２を担持したステム２６６とを備えている。交流電磁モータ２６８および電池２７０がハウジング内に設けられており、互いに作動可能に連結されている。モータ２６８は、その極性を反転させることができる。アプリケータ２６０は、ステム２６６の振動または軸方向揺動を発生させるための伝達カップリング２７２を備えている。ステム２６６は、分極磁石２７６を担持する延長部分２７４を備えている。可撓性リンク２７８は、ステムの延長部分２７４に連結された第１の端部と、ハンドル２６４に旋回可能に連結された第２の端部とを有している。動作の際、モータ２６８の極性が反転されて、分極磁石２７６の引き寄せとはね返しとが交互になされ、それによって、ステムの延長部２７４および取り付けられたステム２６６が、垂直方向に往復する運動で駆動される。ステムの垂直変位の振幅および周波数は、垂直揺動（典型的には、より低い周波数およびより大きい振幅を特徴とする）または振動運動（典型的には、より高い周波数およびより小さい振幅を特徴とする）のいずれかを生じるように制御することができる。
【００５５】
アプリケータヘッドの軸方向動作を生じさせるための、アプリケータ２８０のさらに別の例示的実施形態を図８０Ａ〜８０Ｄに示す。アプリケータ２８０は、ハンドル２８２と、アプリケータヘッド２８６を担持するステム２８４とを備えている。モータ２８８および電池２９０がハンドル２８２内に設けられており、互いに作動可能に連結されている。モータ２８８は、モータシャフト２９２を少なくとも第１の方向に回転させることが可能である。モータシャフト２９２をステム２８４に作動可能に連結するために、伝達カップリング２９４が設けられている。伝達カップリング２９４は、モータシャフト２９２に連結されたモータカムディスク２９６を備えている。ステムディスク２９８が、ステム２８４の端部に連結されている。ばね３００が、ステムディスク２９８を上方位置に向かって付勢している。図８０Ｂに示すように、操作の際、モータカムディスク２９６が回転して、ステムディスク２９８をばね３００の力に逆らって下向きに駆動し、それによって、ステムディスク２９８および取り付けられたステム２８４を下方位置に押圧する。モータカムディスク２９６がさらに回転すると、ばね３００はステムディスク２９８を上向きに押圧し、それによって、ステムディスク２９８およびステム２８４を、図８０Ｄに示す上方位置に戻す。したがって、伝達カップリング２９４は、モータカムディスク２９６の一方向の回転をステム２８４の二方向の軸方向揺動に変換する。ステム２８４の軸方向運動は、ステムの軸方向揺動または振動のいずれであってもよい。
【００５６】
アプリケータヘッドの軸方向運動を生じさせるための、アプリケータ３１０のさらなる例示的実施形態を図８１Ａ〜８１Ｃに示す。アプリケータ３１０は、ハンドル３１２と、アプリケータヘッド３１６を担持するステム３１４とを備えている。モータ３１７がハンドル３１２内に設けられており、モータシャフト３１８を少なくとも１つの方向に回転させることが可能である。また、電池３２０がハンドル３１２内に設けられており、モータ３１６に作動的に連結されている。モータシャフト３１８をステム３１４に作動可能に連結するために、伝達カップリング３２２が設けられている。伝達カップリング３２２は、モータシャフト３１８に連結されたモータディスク３２４を備えている。モータディスク３２４は、ステム３１４に連結されたステムディスク３２６に摩擦係合する。カム従動子３２８が、ステムディスク３２６に連結されており、ハンドル３１２に連結されたカムドライバ表面３３０と係合するように形作られている。ばね３３２が、ハンドル３１２とステムディスク３２６との間に延びて、ステム３１４を上方位置に向かって付勢している。操作の際、モータディスク３２４が回転すると、ステムディスク３２６が回転する。ステムディスク３２６が回転するとき、カム従動子３２８は、カムドライバ表面３３０に沿って滑動して、同時にステムディスク３２６をばね３３２の力に逆らって下向きに押す。その結果、ステムディスク３２６の高さは、モータディスク３２４が回転すると、モータディスク３２４の回転の中心の上下に移動する。モータディスクの回転の中心が、図８１Ｂに示すように、ステムディスク３２６の高さより上にあるとき、ステム３１４は時計回りの方向に回転される。逆に、モータディスクの回転の中心が、図８１Ｃに示すように、ステムディスク３２６の高さより下にあるとき、ステム３１４は反時計回りの方向に回転される。モータディスクの回転の中心が、ステムディスク３２６の高さからさらに離れて移動するにつれて、ステムディスク３２６がより高速で回転されることが理解されよう。したがって、伝達カップリング３２２は、一方向のモータ回転をステムの回転揺動および軸方向運動に変換し、その回転揺動および軸方向運動において、回転速度は、前進回転方向と後進回転方向の双方において変化する。軸方向動作は、ステムの軸方向揺動または振動のいずれであってもよい。
【００５７】
振動するアプリケータヘッドを生成するのに特に好適なアプリケータ４００を図８８に示す。アプリケータ４００は、開口部４０４を有するハンドル４０２を備えているが、その開口部４０４は、ステム４０６を滑動的に受けるように寸法決めされており、そのステム４０６は、拡張位置と後退位置との間で移動することが可能であり、またアプリケータヘッド４０８を担持することが可能である。ばね４１０が、拡張位置と後退位置のいずれかにおいて、ステム４０６を付勢する。ステム延長部４１２が、磁石４１４を備えている。電磁石コイル４１６の形式のアクチュエータがハンドル４０２内に設けられており、電池４１８に作動可能に連結されている。コイル４１６は、磁界を生成するように選択的に通電することができ、その磁界は、ステム延長部４１２上の磁石４１４を引き寄せたりはね返したりし、それによってステム４０６を拡張位置と後退位置との間で移動させ、それによってアプリケータヘッド４０８を振動運動において往復運動させる。あるいは、起振力を生成するために、アクチュエータを電磁石コイル４１６ではなく圧電振動板として設けてもよい。そのような振動板を使用する場合、磁石４１４は除去してもよい。
【００５８】
複合的な振動および回転運動を発生させることが可能なアプリケータ４２０を図８９に示す。アプリケータ４２０は、モータ４２４を有するハンドル４２２を備えており、そのモータ４２４は、絶縁ばね４２６を介してハンドル４２２に連結されている。モータは、重り４３０を有する回転モータシャフト４２８を有しており、その重り４３０は、モータシャフトの軸線に対して偏心して装着されている。スイッチ４３２および電池４３４が、モータ４２４に作動的に連結されている。また、概ね円筒形または円錐台形の形状を有してもよいボス４３６が、ハンドル４２２に連結されている。ステム４３８が、ソケット４４２を画定するステム延長部４４０を備えており、そのソケット４４２は、ボス４３６と回転可能に係合するように寸法決めされている。ステム４３８はまた、アプリケータヘッド４４４を担持している。動作の際、回転する偏心した重り４３０は起振力を生成するが、その起振力は、ばね４２６によってハンドル４２２から実質的に絶縁される。その力は、ボス４３６を介してステム４３８に伝達され、それによってステムが回転する。この実施形態において、モータシャフト４２８はステム軸線に実質的に平行であり、モータシャフト４２８がある方向に回転すると、反対方向におけるステム４３８の回転が生じる。モータシャフトの回転方向は、電池４３４の極性を切り替えることによって逆転させてもよい。したがって、アプリケータ４２０は、振動要素と回転要素の双方を含んだ複合的な運動でアプリケータヘッド４４４を動作させることが可能である。
【００５９】
１つ以上の振動成分、半径方向成分、および回転成分を含むアプリケータヘッドの複合的な運動を発生させることが可能なアプリケータ４５０を図９０に示す。アプリケータ４５０はハンドル４５２を備えており、そのハンドル４５２は、それに連結された内スリーブ４５４を有している。モータ４５６が、内スリーブ４５４の内部でばね４５８によって支持されている。モータ４５６は、回転シャフト４６０と、偏心して装着された重り４６２とを備えており、その重り４６２は回転軸４６０に連結されている。スイッチ４６４および電池４６６が、モータ４５６に作動可能に連結されている。中空のステム４６８が、ばね４５８の自由端部を受けるように寸法決めされている。ステム４６８は、アプリケータヘッド４７２を回転可能に受けるように寸法決めされたソケット４７０を備えており、したがって、アプリケータヘッド４７２はステム４６８に対して自在に回転する。内スリーブ４５４とステム４６８の対向する端部の間の間隙を囲うために、囲い板４６９が設けられてもよい。動作の際、モータ４５６が回転すると回転力が生成されるが、その回転力は、ばね４５８の一方の端部によってハンドル４５２から絶縁され、ばね４５８の他方の端部によってステム４６８に伝達される。ばね４５８によって、ステム４６８は半径方向に並進運動する（すなわち、回転することなく内スリーブ４５４に対して円形経路で動く）ことが可能となっている。アプリケータヘッド４７２は、ステム４６８に対して自在に回転する。その結果、アプリケータ４５０は、半径方向の並進成分、振動成分、および／または回転成分を含む複合的な運動でアプリケータヘッド４７２を動作させることが可能となっている。
【００６０】
図８９および９０に示す実施形態において、ばね、モータ、および偏心重りは、アプリケータヘッド運動に対して所望の周波数および振幅を発生させるように選択することができる。ばねは、その固有周波数でまたはその固有周波数の近くで励振されるように、モータおよび重りと調和させることができる。そのように調和すると、モータの力は、ばねによって増幅されてアプリケータヘッドに伝えられ、それによって、モータでアプリケータヘッドの所与の変位を発生させるのに必要な電力が削減される。
【００６１】
図９３は、アプリケータヘッド５３２を振動運動で動作させるための別のアプリケータ５３０を示す。アプリケータ５３０はハンドル５３４を備えている。歯付きカム５３６がハウジング内に設けられており、またスリーブ５３８を備えている。ステム５４０が歯付きカムに連結されており、またアプリケータヘッド５３２を担持している。モータ５４２が、スリーブ５３８に連結された回転シャフトを備えている。電池５４４およびスイッチ５４６がハンドル５３４内に設けられており、またモータ５４２に作動的に連結されている。操作の際、モータ５４２は、ハウジング内に形成された歯５４８の上でカム５３６を回転させて、回転成分と振動成分とを有する複合的なアプリケータヘッドの運動を発生させる。振動がハンドル５３４に与えられて、ユーザーに触覚フィードバックが与えられる。
【００６２】
図９４Ａおよび９４Ｂは、アプリケータヘッド５５２を回転および振動で動作させるためのアプリケータ５５０を示す。アプリケータ５５０はハンドル５５４を備えている。ステム５５６は、安定ブレード５６０と歯５６２とを備えるステム延長部５５８を備えており、その歯５６２は、ハンドル５５４に連結されたギア歯５６４と係合するように適合されている。モータ５６６がステム延長部５５８に連結されており、また電池５７０およびスイッチ５７２に作動的に連結されている。操作の際、モータ５６６はステム延長部５５８を回転させて、歯５６２をギア歯５６４の上で駆動し、それによって、アプリケータヘッド５５２の振動運動を生成する。振動がハンドル５５４に伝えられて、ユーザーに触覚フィードバックが与えられる。
【００６３】
上記の実施形態の一部は、振動的なアプリケータヘッドの運動を発生させるものであるが、本明細書で説明するアプリケータはいずれも、ユーザーに触覚フィードバックを提供するために、振動発生器を備えるように修正することができる。そのような振動発生器は、触覚振動を発生させるために、剛性的にまたは弾性的にハンドルに連結することができる。１０Ｈｚから６ｋＨｚの範囲内で発生した振動は、典型的なユーザーの手で感知できることが判明している。
【００６４】
本明細書に開示する実施形態において設けられるステムは、必要に応じて、実質的に高剛性であっても実質的に高弾性であってもよい。溝を備えたステムを有し、その溝がハウジング上の突出部と係合して、軸線方向のステムの運動を回転運動に変えるものなど、特定の実施形態は、より高剛性のステムでより良好に機能する。振動的なヘッドの運動を発生させるものなど、他の実施形態は、より柔軟なステムから利益を得ることができる。より高度な柔軟性を有するステムを使用する実施形態においては、ステムを必要に応じて支持するために、剛性スリーブがハウジングに連結され、ステムの少なくとも一部分の周りで延びていてもよい。
【００６５】
より具体的に、図９５は、柔軟ステム５８２を有するアプリケータ５８０を示す。そのアプリケータはハンドル５８４を備えており、そのハンドル５８４は、回転モータシャフト５８８を備えるモータ５８６を有している。偏心重り５９０が軸５８８に装着されている。電池５９２およびスイッチ５９４が、モータ５８６に作動的に連結されている。偏心重り５９０が回転すると力が生成され、その力はステム５８２に伝達される。図９５に示すように、ステム５８２は、前後に曲がることによってその力に応答するように、十分に柔軟なものとなっている。図示したステムの変位は、理解を明確にするために誇張されている。ステムの柔軟性は一定であってもよく、また、断面積または材料密度の関数などとしてステム５８２の長さに沿って変化してもよい。
【００６６】
アプリケータヘッドの軸方向移動は、化粧品材料が突出部の端部により良好に分散する周波数で実施することができる。アプリケータヘッド３４０は、それぞれ図８２Ａおよび８２Ｂに示すように、軸方向に下向きにまた上向きに移動するのに応答して曲がる突出部３４２を備えてもよい。軸方向動作は、突出部の調和運動を発生させるように特定的に調整することができ、それによって、化粧品材料は、各突出部３４２の底部から先端部へより効果的に進む。
【００６７】
軸方向に動作するアプリケータヘッド３５０は、柔軟性または剛性が変動する突出部を備えてもよい。図８３Ａ〜８３Ｃに示すように、アプリケータヘッド３５０は、比較的低い剛性（または高い柔軟性）を有する第１の組の突出部３５２と、比較的高い剛性（または低い柔軟性）を有する第２の組の突出部３５４とを備えている。第１の組の突出部３５２は、図８３Ｂおよび８３Ｃにそれぞれ示すように、アプリケータヘッド３５０が軸方向上向きに運動するのに応答して下向きに、アプリケータヘッド３５０が軸方向下向きに移動するのに応答して上向きに撓む。図示した実施形態において、第１の組の突出部は、柔軟性を高めるために、その先端部により大きい質量を有しており、一方で、第２の組の突出部は、剛性を高めるために先細となっている。別の方法として、または追加的に、突出部は、剛性および／または柔軟性における相対的な差異をもたらすために、様々な材料で形成してもよい。
【００６８】
また、各突出部の形状は、軸方向移動するアプリケータヘッドでの使用に適合させてもよい。図８４は、概ね正方形の底部３６２を有する突出部３６０を示す。この突出部は、底部３６２における大きな横断面積の領域から、自由端部または先端部３６４における小さい横断面積の領域へと、徐々に先細になっている。突出部３６０が軸方向に振動されるときに底部３６２から先端部３６４へ化粧製品が移動するのを促進するために、ディンプル３６６などの一連の溝が、突出部３６０の表面に形成されている。
【００６９】
図８５は、軸方向振動の間に底部から先端部へ材料が流れるのを促進するように適合された別の突出部３７０を示す。突出部３７０は、比較的大きい横断面積を有する底部３７２と、比較的小さい横断面積を有する先端部３７４とを備えている。突出部３７０の表面は、一連の段３７６を備えてテラス状の輪郭を形成している。段３７６は、とげ形状の突起３７８を形成しており、その突起３７８は、突出部３６０が軸方向に振動されるときに化粧品が底部３７２から先端部３７４へ移動するのを促進する。
【００７０】
アプリケータは、操作またはユーザーの満足度を向上させるために、ある補助的な機能を含んでもよい。たとえば、熱をアプリケータヘッドに加え、それによって睫毛のカールおよびリフトを促進するために、アプリケータは熱源をさらに備えてもよい。操作中にノイズを生成し、それによって、アプリケータが活動状態であることをユーザーに警告するために、アプリケータは音声回路を備えてもよい。同様に、アプリケータが動作しているという触覚指示をユーザーに与えるため、また、アプリケータの有効性に対するユーザーの認知を潜在的に向上させるために、アプリケータは第２の振動源を備えてもよい。
【００７１】
本明細書で開示する電気的アクチュエータおよび機械的アクチュエータに加えて、アプリケータヘッドの動作のための力は、音波によって供給されてもよい。たとえば、アプリケータヘッドを振動させる音波を生成するために、圧電結晶を設けてもよい。
【００７２】
図８６に示すように、アプリケータ３８０は、前進回転と後進回転との間の迅速かつ容易な切替えを可能にするために、単純なトグル制御スイッチ３８２を備えてもよい。
【００７３】
アプリケータ３９０は、図８７に示すように、ハンドル３９６の対向端部から延びる第１および第２のステム３９２、３９４を備えてもよい。同じモータまたは異なるモータが、第２のアプリケータヘッド３９４に給電してもよい。第２のヘッド３９４は、第１のアプリケータヘッド上で供給される化粧品とは別にまたはその化粧品と共に使用するように意図された第２の異なる化粧製品を有してもよい。
【００７４】
様々なカスタマイズされたアプリケータを同じハンドルで使用できるようにするために、アプリケータは、それぞれにハンドルから取り外し可能にできるアプリケータヘッドまたは組合わせ式のアプリケータヘッドとステムとを有してもよい。取外し可能なヘッドまたはヘッドとステムの組合わせは、ロック機構を備えてもよい。アプリケータヘッドは、動く（すなわち、回転する、軸方向に動くなど）突出部と静止した突出部の双方の組合わせを設けるように、さらに適合されてもよい。
【００７５】
静止した突出部と動く突出部とを有するアプリケータ６００を図９６および９７Ａ〜９７Ｃに示す。アプリケータ６００はハンドル６０２を備えている。中空スリーブ６０４がハンドル６０２に連結されており、ステム６０６がスリーブ４０４内部に設けられている。第１の組の突出部６０７がスリーブ６０４に連結されており、第２の組の突出部６０９がステム６０６に連結されている。磁石６０８が、ばね６１０によってステム６０６に連結されており、そのばね６１０によって振幅を増加または減少させることができる。電磁石コイル６１２がハウジング内部に設けられており、また、磁界を生成して磁石６０８を引き寄せたりはね返したりすることが可能である。スイッチ６１４および電池６１６が、コイル６１２に作動的に連結されている。動作の際、電磁石は、周期的に磁界を生成して磁石６０８を軸方向に揺動させる。磁石６０８の動作がばね６１０を介してステム６０６に伝達され、それによって、第２の組の突出部６０９が第１の組の突出部６０７に対して移動する。第１および第２の組の突出部のパターンおよび相対的位置は、図９７Ａ〜９７Ｃに示すように、異なっていてもよい。図９７Ａにおいて、第１の組は静止した突出部の１つの横列６２０を備えており、残りの突出部は移動する。３列および４列の静止した突出部を備える実施形態を、それぞれ図９７Ｂおよび９７Ｃに示す。
【００７６】
「発明を実施するための最良の形態」で引用した全ての文書は、関連部分において本願に引用して援用するが、いずれの文書の引用も、それが本開示に対する従来技術であることを認めるものとして解釈されるべきではない。
【００７７】
本開示の特定の実施形態について説明し記載したが、本発明の精神および範囲から逸脱することなく他の様々な変更および修正が可能であることは当業者には明白であろう。従って、本開示の範囲内にあるそのような全ての変更および修正を、添付の特許請求の範囲で扱うものとする。
【００７８】
本明細書は、本発明と見なされる主題を特定して指摘し明確に請求する特許請求の範囲をもって結論とするが、本発明は、添付の図面と関連させた次の説明からさらによく理解されると考えられる。いずれの図面も必ずしも一律の縮尺に従っていない。
【図面の簡単な説明】
【００７９】
【図１】化粧品アプリケータの一実施形態の、横断面における部分概略側面図。
【図２】図１の化粧用アプリケータと共に使用するための別の突出部構成の部分概略側面図。
【図３】図１の化粧用アプリケータと共に使用するための別の突出部構成の部分概略側面図。
【図４】図１の化粧用アプリケータと共に使用するための別の突出部構成の部分概略側面図。
【図５】図１の化粧用アプリケータと共に使用するための別の突出部構成の部分概略側面図。
【図６】図１の化粧用アプリケータと共に使用するための別の突出部構成の部分概略側面図。
【図７】突出部の横断面形状の様々な例を示す。
【図８】突出部の横断面形状の様々な例を示す。
【図９】突出部の横断面形状の様々な例を示す。
【図１０】突出部の横断面形状の様々な例を示す。
【図１１】突出部の横断面形状の様々な例を示す。
【図１２】突出部の横断面形状の様々な例を示す。
【図１３】突出部の横断面形状の様々な例を示す。
【図１４】突出部の横断面形状の様々な例を示す。
【図１５】突出部の横断面形状の様々な例を示す。
【図１６】突出部の横断面形状の様々な例を示す。
【図１７】突出部の横断面形状の様々な例を示す。
【図１８】突出部の横断面形状の様々な例を示す。
【図１９】突出部の横断面形状の様々な例を示す。
【図２０】突出部の横断面形状の様々な例を示す。
【図２１】突出部の横断面形状の様々な例を示す。
【図２２】突出部の横断面形状の様々な例を示す。
【図２３】突出部の横断面形状の様々な例を示す。
【図２４】突出部の横断面形状の様々な例を示す。
【図２５】突出部の横断面形状の様々な例を示す。
【図２６】突出部の横断面形状の様々な例を示す。
【図２７】突出部の横断面形状の様々な例を示す。
【図２８】突出部の横断面形状の様々な例を示す。
【図２９】別の突出部を有するアプリケータヘッドの斜視図。
【図３０】別の突出部を有するアプリケータヘッドの斜視図。
【図３１Ａ】弾性の突出部と剛性の突出部の組合わせを有するアプリケータヘッドを示す。
【図３１Ｂ】弾性の突出部と剛性の突出部の組合わせを有するアプリケータヘッドを示す。
【図３１Ｃ】弾性の突出部と剛性の突出部の組合わせを有するアプリケータヘッドを示す。
【図３２】ステムの取りうる横断面形状を示す概略横断面図。
【図３３】ステムの取りうる横断面形状を示す概略横断面図。
【図３４】ステムの取りうる横断面形状を示す概略横断面図。
【図３５】ステムの取りうる横断面形状を示す概略横断面図。
【図３６】ステムの取りうる横断面形状を示す概略横断面図。
【図３７】ステムの取りうる横断面形状を示す概略横断面図。
【図３８】ステムの取りうる横断面形状を示す概略横断面図。
【図３９】ステムの取りうる横断面形状を示す概略横断面図。
【図４０】ステムの取りうる横断面形状を示す概略横断面図。
【図４１】ステムの取りうる横断面形状を示す概略横断面図。
【図４２】ステムの取りうる横断面形状を示す概略横断面図。
【図４３】ステムの中心がどの程度偏心してもよいかを示す。
【図４４】周囲の突出部の様々な分布を有するアプリケータヘッドの平面図。
【図４５】周囲の突出部の様々な分布を有するアプリケータヘッドの平面図。
【図４６】周囲の突出部の様々な分布を有するアプリケータヘッドの平面図。
【図４７】周囲の突出部の様々な分布を有するアプリケータヘッドの平面図。
【図４８】周囲の突出部の様々な分布を有するアプリケータヘッドの平面図。
【図４９】周囲の突出部の様々な分布を有するアプリケータヘッドの平面図。
【図５０】周囲の突出部の様々な分布を有するアプリケータヘッドの平面図。
【図５１】周囲の突出部の様々な分布を有するアプリケータヘッドの平面図。
【図５２】周囲の突出部の様々な分布を有するアプリケータヘッドの平面図。
【図５３】周囲の突出部の様々な分布を有するアプリケータヘッドの平面図。
【図５４】周囲の突出部の様々な分布を有するアプリケータヘッドの平面図。
【図５５】周囲の突出部の様々な分布を有するアプリケータヘッドの平面図。
【図５６】周囲の突出部の様々な分布を有するアプリケータヘッドの平面図。
【図５７Ａ】アプリケータヘッドの軸方向長さに沿った突出部の分布を示す、様々なアプリケータヘッドの各四半部の平面図。
【図５７Ｂ】アプリケータヘッドの軸方向長さに沿った突出部の分布を示す、様々なアプリケータヘッドの各四半部の平面図。
【図５７Ｃ】アプリケータヘッドの軸方向長さに沿った突出部の分布を示す、様々なアプリケータヘッドの各四半部の平面図。
【図５７Ｄ】アプリケータヘッドの軸方向長さに沿った突出部の分布を示す、様々なアプリケータヘッドの各四半部の平面図。
【図５８Ａ】アプリケータヘッドの軸方向長さに沿った突出部の分布を示す、様々なアプリケータヘッドの各四半部の平面図。
【図５８Ｂ】アプリケータヘッドの軸方向長さに沿った突出部の分布を示す、様々なアプリケータヘッドの各四半部の平面図。
【図５８Ｃ】アプリケータヘッドの軸方向長さに沿った突出部の分布を示す、様々なアプリケータヘッドの各四半部の平面図。
【図５８Ｄ】アプリケータヘッドの軸方向長さに沿った突出部の分布を示す、様々なアプリケータヘッドの各四半部の平面図。
【図５９Ａ】アプリケータヘッドの軸方向長さに沿った突出部の分布を示す、様々なアプリケータヘッドの各四半部の平面図。
【図５９Ｂ】アプリケータヘッドの軸方向長さに沿った突出部の分布を示す、様々なアプリケータヘッドの各四半部の平面図。
【図５９Ｃ】アプリケータヘッドの軸方向長さに沿った突出部の分布を示す、様々なアプリケータヘッドの各四半部の平面図。
【図５９Ｄ】アプリケータヘッドの軸方向長さに沿った突出部の分布を示す、様々なアプリケータヘッドの各四半部の平面図。
【図６０Ａ】アプリケータヘッドの軸方向長さに沿った突出部の分布を示す、様々なアプリケータヘッドの各四半部の平面図。
【図６０Ｂ】アプリケータヘッドの軸方向長さに沿った突出部の分布を示す、様々なアプリケータヘッドの各四半部の平面図。
【図６０Ｃ】アプリケータヘッドの軸方向長さに沿った突出部の分布を示す、様々なアプリケータヘッドの各四半部の平面図。
【図６０Ｄ】アプリケータヘッドの軸方向長さに沿った突出部の分布を示す、様々なアプリケータヘッドの各四半部の平面図。
【図６１Ａ】アプリケータヘッドの軸方向長さに沿った突出部の分布を示す、様々なアプリケータヘッドの各四半部の平面図。
【図６１Ｂ】アプリケータヘッドの軸方向長さに沿った突出部の分布を示す、様々なアプリケータヘッドの各四半部の平面図。
【図６１Ｃ】アプリケータヘッドの軸方向長さに沿った突出部の分布を示す、様々なアプリケータヘッドの各四半部の平面図。
【図６１Ｄ】アプリケータヘッドの軸方向長さに沿った突出部の分布を示す、様々なアプリケータヘッドの各四半部の平面図。
【図６２Ａ】アプリケータヘッドの軸方向長さに沿った突出部の分布を示す、様々なアプリケータヘッドの各四半部の平面図。
【図６２Ｂ】アプリケータヘッドの軸方向長さに沿った突出部の分布を示す、様々なアプリケータヘッドの各四半部の平面図。
【図６２Ｃ】アプリケータヘッドの軸方向長さに沿った突出部の分布を示す、様々なアプリケータヘッドの各四半部の平面図。
【図６２Ｄ】アプリケータヘッドの軸方向長さに沿った突出部の分布を示す、様々なアプリケータヘッドの各四半部の平面図。
【図６３Ａ】アプリケータヘッドの軸方向長さに沿った突出部の分布を示す、様々なアプリケータヘッドの各四半部の平面図。
【図６３Ｂ】アプリケータヘッドの軸方向長さに沿った突出部の分布を示す、様々なアプリケータヘッドの各四半部の平面図。
【図６３Ｃ】アプリケータヘッドの軸方向長さに沿った突出部の分布を示す、様々なアプリケータヘッドの各四半部の平面図。
【図６３Ｄ】アプリケータヘッドの軸方向長さに沿った突出部の分布を示す、様々なアプリケータヘッドの各四半部の平面図。
【図６４】ステムの変動する回転速度を示すグラフである。
【図６５】ステムの変動する回転速度を示すグラフである。
【図６６】ステムの一定の回転速度を示すグラフである。
【図６７】ステムの可逆性の回転速度を示すグラフである。
【図６８】ステムの可逆性の回転速度を示すグラフである。
【図６９】片寄ったステムを有するアプリケータの斜視図。
【図７０】非均一な横断面形状を有するアプリケータの斜視図。
【図７１】電気モータを有するアプリケータの、横断面における概略側面図。
【図７２】電気モータと制御器とを有するアプリケータの、横断面における概略側面図。
【図７３】一方向のモータ回転をアプリケータヘッドの回転揺動運動に変換するための伝達カップリングを有するアプリケータの、横断面における概略側面図。
【図７４Ａ】様々な動作の段階における図７３の伝達カップリングの部分概略側面図。
【図７４Ｂ】様々な動作の段階における図７３の伝達カップリングの部分概略側面図。
【図７４Ｃ】様々な動作の段階における図７３の伝達カップリングの部分概略側面図。
【図７４Ｄ】様々な動作の段階における図７３の伝達カップリングの部分概略側面図。
【図７５Ａ】軸方向のアクチュエータの運動をアプリケータヘッドの回転揺動動作に変換するための伝達カップリングを有するアプリケータの、横断面における概略側面図。
【図７５Ｂ】軸方向のアクチュエータの運動をアプリケータヘッドの回転揺動動作に変換するための伝達カップリングを有するアプリケータの、横断面における概略側面図。
【図７５Ｃ】軸方向のアクチュエータの運動をアプリケータヘッドの回転揺動動作に変換するための伝達カップリングを有するアプリケータの、横断面における概略側面図。
【図７６Ａ】一方向のモータ回転をアプリケータヘッドの回転揺動動作に変換するための伝達カップリングを有するアプリケータの概略側面図。
【図７６Ｂ】一方向のモータ回転をアプリケータヘッドの回転揺動動作に変換するための伝達カップリングを有するアプリケータの概略側面図。
【図７６Ｃ】一方向のモータ回転をアプリケータヘッドの回転揺動動作に変換するための伝達カップリングを有するアプリケータの概略側面図。
【図７６Ｄ】一方向のモータ回転をアプリケータヘッドの回転揺動動作に変換するための伝達カップリングを有するアプリケータの概略側面図。
【図７７】軸方向動作を伴うアプリケータヘッドを有するアプリケータの斜視図。
【図７８Ａ】軸方向のアクチュエータの運動を、回転揺動成分と軸方向動作成分とを有する、アプリケータヘッドの複合的な運動に変換するための伝達カップリングを有するアプリケータの、横断面における概略側面図。
【図７８Ｂ】軸方向のアクチュエータの運動を、回転揺動成分と軸方向動作成分とを有する、アプリケータヘッドの複合的な運動に変換するための伝達カップリングを有するアプリケータの、横断面における概略側面図。
【図７９Ａ】電磁ポテンシャルをアプリケータヘッドの軸方向動作に変換するための伝達カップリングを有するアプリケータの概略側面図。
【図７９Ｂ】電磁ポテンシャルをアプリケータヘッドの軸方向動作に変換するための伝達カップリングを有するアプリケータの概略側面図。
【図７９Ｃ】電磁ポテンシャルをアプリケータヘッドの軸方向動作に変換するための伝達カップリングを有するアプリケータの概略側面図。
【図８０Ａ】一方向のモータ回転をアプリケータヘッドの軸方向動作に変換するための伝達カップリングを有するアプリケータの、横断面における概略側面図。
【図８０Ｂ】一方向のモータ回転をアプリケータヘッドの軸方向動作に変換するための伝達カップリングを有するアプリケータの、横断面における概略側面図。
【図８０Ｃ】一方向のモータ回転をアプリケータヘッドの軸方向動作に変換するための伝達カップリングを有するアプリケータの、横断面における概略側面図。
【図８０Ｄ】一方向のモータ回転をアプリケータヘッドの軸方向動作に変換するための伝達カップリングを有するアプリケータの、横断面における概略側面図。
【図８１Ａ】一方向のモータ回転を、回転揺動成分と軸方向動作成分とを有する、アプリケータヘッドの複合的な動作に変換するための伝達カップリングを有するアプリケータの、横断面における概略側面図。
【図８１Ｂ】一方向のモータ回転を、回転揺動成分と軸方向動作成分とを有する、アプリケータヘッドの複合的な動作に変換するための伝達カップリングを有するアプリケータの、横断面における概略側面図。
【図８１Ｃ】一方向のモータ回転を、回転揺動成分と軸方向動作成分とを有する、アプリケータヘッドの複合的な動作に変換するための伝達カップリングを有するアプリケータの、横断面における概略側面図。
【図８２Ａ】軸方向に動作するアプリケータヘッド上の柔軟性突出部の側面図。
【図８２Ｂ】軸方向に動作するアプリケータヘッド上の柔軟性突出部の側面図。
【図８３Ａ】軸方向に動作するアプリケータヘッド上の柔軟性突出部と剛性突出部の組合わせの側面図。
【図８３Ｂ】軸方向に動作するアプリケータヘッド上の柔軟性突出部と剛性突出部の組合わせの側面図。
【図８３Ｃ】軸方向に動作するアプリケータヘッド上の柔軟性突出部と剛性突出部の組合わせの側面図。
【図８４】底部から先端部への化粧品材料の流れを促進するように形成された突出部の斜視図。
【図８５】底部から先端部への化粧品材料の流れを促進するように形成された突出部の斜視図。
【図８６】アプリケータヘッドの回転を逆転させるためのスイッチを有するアプリケータの斜視図。
【図８７】第１および第２のアプリケータヘッドをそれぞれ装着するための第１および第２のステムを有するアプリケータの斜視図。
【図８８】アプリケータヘッドを振動させることが可能なアプリケータの、横断面における概略側面図。
【図８９】振動成分と回転成分とを含む複合的な運動においてアプリケータヘッドを動作させることが可能なアプリケータの、横断面における概略側面図。
【図９０】振動成分、半径方向の並進成分、および／または回転成分を含む複合的な運動においてアプリケータヘッドを動作させることが可能なアプリケータの、横断面における概略側面図。
【図９１】スイッチを選択的に覆うための遮蔽体を有するアプリケータの概略斜視図。
【図９２】左目または右目への塗布のいずれに対しても好都合な場所に配置された２つのスイッチを有するアプリケータの概略側面図。
【図９３】振動運動でアプリケータヘッドを動作させることが可能でかつ触覚振動をハンドル内で生成することが可能なアプリケータの、横断面における概略側面図。
【図９４Ａ】振動運動でアプリケータヘッドを動作させることが可能でかつ触覚振動をハンドル内で生成することが可能なアプリケータの、横断面における概略図。
【図９４Ｂ】振動運動でアプリケータヘッドを動作させることが可能でかつ触覚振動をハンドル内で生成することが可能なアプリケータの、横断面における概略図。
【図９５】弾性シャフトを有するアプリケータの、横断面における概略側面図。
【図９６】静止した突出部と動く突出部の双方を有するアプリケータの、横断面における概略側面図。
【図９７Ａ】図９６のアプリケータの様々な実施形態の、横断面における平面図。
【図９７Ｂ】図９６のアプリケータの様々な実施形態の、横断面における平面図。
【図９７Ｃ】図９６のアプリケータの様々な実施形態の、横断面における平面図。
【図１】
2008541942.tif 000003
【図２】
2008541942.tif 000004
【図３】
2008541942.tif 000005
【図４】
2008541942.tif 000006
【図５】
2008541942.tif 000007
【図６】
2008541942.tif 000008
【図７】
2008541942.tif 000009
【図８】
2008541942.tif 000010
【図９】
2008541942.tif 000011
【図１０】
2008541942.tif 000012
【図１１】
2008541942.tif 000013
【図１２】
2008541942.tif 000014
【図１３】
2008541942.tif 000015
【図１４】
2008541942.tif 000016
【図１５】
2008541942.tif 000017
【図１６】
2008541942.tif 000018
【図１７】
2008541942.tif 000019
【図１８】
2008541942.tif 000020
【図１９】
2008541942.tif 000021
【図２０】
2008541942.tif 000022
【図２１】
2008541942.tif 000023
【図２２】
2008541942.tif 000024
【図２３】
2008541942.tif 000025
【図２４】
2008541942.tif 000026
【図２５】
2008541942.tif 000027
【図２６】
2008541942.tif 000028
【図２７】
2008541942.tif 000029
【図２８】
2008541942.tif 000030
【図２９】
2008541942.tif 000031
【図３０】
2008541942.tif 000032
【図３１Ａ】
2008541942.tif 000033
【図３１Ｂ】
2008541942.tif 000034
【図３１Ｃ】
2008541942.tif 000035
【図３２】
2008541942.tif 000036
【図３３】
2008541942.tif 000037
【図３４】
2008541942.tif 000038
【図３５】
2008541942.tif 000039
【図３６】
2008541942.tif 000040
【図３７】
2008541942.tif 000041
【図３８】
2008541942.tif 000042
【図３９】
2008541942.tif 000043
【図４０】
2008541942.tif 000044
【図４１】
2008541942.tif 000045
【図４２】
2008541942.tif 000046
【図４３】
2008541942.tif 000047
【図４４】
2008541942.tif 000048
【図４５】
2008541942.tif 000049
【図４６】
2008541942.tif 000050
【図４７】
2008541942.tif 000051
【図４８】
2008541942.tif 000052
【図４９】
2008541942.tif 000053
【図５０】
2008541942.tif 000054
【図５１】
2008541942.tif 000055
【図５２】
2008541942.tif 000056
【図５３】
2008541942.tif 000057
【図５４】
2008541942.tif 000058
【図５５】
2008541942.tif 000059
【図５６】
2008541942.tif 000060
【図５７Ａ】
2008541942.tif 000061
【図５７Ｂ】
2008541942.tif 000062
【図５７Ｃ】
2008541942.tif 000063
【図５７Ｄ】
2008541942.tif 000064
【図５８Ａ】
2008541942.tif 000065
【図５８Ｂ】
2008541942.tif 000066
【図５８Ｃ】
2008541942.tif 000067
【図５８Ｄ】
2008541942.tif 000068
【図５９Ａ】
2008541942.tif 000069
【図５９Ｂ】
2008541942.tif 000070
【図５９Ｃ】
2008541942.tif 000071
【図５９Ｄ】
2008541942.tif 000072
【図６０Ａ】
2008541942.tif 000073
【図６０Ｂ】
2008541942.tif 000074
【図６０Ｃ】
2008541942.tif 000075
【図６０Ｄ】
2008541942.tif 000076
【図６１Ａ】
2008541942.tif 000077
【図６１Ｂ】
2008541942.tif 000078
【図６１Ｃ】
2008541942.tif 000079
【図６１Ｄ】
2008541942.tif 000080
【図６２Ａ】
2008541942.tif 000081
【図６２Ｂ】
2008541942.tif 000082
【図６２Ｃ】
2008541942.tif 000083
【図６２Ｄ】
2008541942.tif 000084
【図６３Ａ】
2008541942.tif 000085
【図６３Ｂ】
2008541942.tif 000086
【図６３Ｃ】
2008541942.tif 000087
【図６３Ｄ】
2008541942.tif 000088
【図６４】
2008541942.tif 000089
【図６５】
2008541942.tif 000090
【図６６】
2008541942.tif 000091
【図６７】
2008541942.tif 000092
【図６８】
2008541942.tif 000093
【図６９】
2008541942.tif 000094
【図７０】
2008541942.tif 000095
【図７１】
2008541942.tif 000096
【図７２】
2008541942.tif 000097
【図７３】
2008541942.tif 000098
【図７４Ａ】
2008541942.tif 000099
【図７４Ｂ】
2008541942.tif 000100
【図７４Ｃ】
2008541942.tif 000101
【図７４Ｄ】
2008541942.tif 000102
【図７５Ａ】
2008541942.tif 000103
【図７５Ｂ】
2008541942.tif 000104
【図７５Ｃ】
2008541942.tif 000105
【図７６Ａ】
2008541942.tif 000106
【図７６Ｂ】
2008541942.tif 000107
【図７６Ｃ】
2008541942.tif 000108
【図７６Ｄ】
2008541942.tif 000109
【図７７】
2008541942.tif 000110
【図７８Ａ】
2008541942.tif 000111
【図７８Ｂ】
2008541942.tif 000112
【図７９Ａ】
2008541942.tif 000113
【図７９Ｂ】
2008541942.tif 000114
【図７９Ｃ】
2008541942.tif 000115
【図８０Ａ】
2008541942.tif 000116
【図８０Ｂ】
2008541942.tif 000117
【図８０Ｃ】
2008541942.tif 000118
【図８０Ｄ】
2008541942.tif 000119
【図８１Ａ】
2008541942.tif 000120
【図８１Ｂ】
2008541942.tif 000121
【図８１Ｃ】
2008541942.tif 000122
【図８２Ａ】
2008541942.tif 000123
【図８２Ｂ】
2008541942.tif 000124
【図８３Ａ】
2008541942.tif 000125
【図８３Ｂ】
2008541942.tif 000126
【図８３Ｃ】
2008541942.tif 000127
【図８４】
2008541942.tif 000128
【図８５】
2008541942.tif 000129
【図８６】
2008541942.tif 000130
【図８７】
2008541942.tif 000131
【図８８】
2008541942.tif 000132
【図８９】
2008541942.tif 000133
【図９０】
2008541942.tif 000134
【図９１】
2008541942.tif 000135
【図９２】
2008541942.tif 000136
【図９３】
2008541942.tif 000137
【図９４Ａ】
2008541942.tif 000138
【図９４Ｂ】
2008541942.tif 000139
【図９５】
2008541942.tif 000140
【図９６】
2008541942.tif 000141
【図９７Ａ】
2008541942.tif 000142
【図９７Ｂ】
2008541942.tif 000143
【図９７Ｃ】
2008541942.tif 000144
【国際調査報告】
2008541942.tif 000145
2008541942.tif 000146
2008541942.tif 000147